(57)【特許請求の範囲】
【請求項１】
遊技店での遊技の結果に応じて提供される景品の流通を管理する景品流通管理システムであって、
前記景品の個体を識別する識別情報を取得する景品情報取得手段と、
前記景品情報取得手段によって取得した識別情報に基づいて前記景品の真贋の判定を行って、前記判定の結果である判定結果と前記判定の根拠である判定根拠情報とを出力する真贋判定手段と、
前記真贋判定手段によって出力された判定結果が前記景品が真正ではない可能性があるという判定結果であった場合に、前記判定根拠情報に基づいて前記景品の買取を行う買取場に対するアラート報知の要否を判定する報知要否判定手段と、
前記報知要否判定手段によってアラート報知が必要と判定された場合には、前記買取場に流通経路内で真正ではない可能性がある景品が検出されたことを示すアラート情報を報知するアラート報知手段と
を備え、
前記アラート報知手段は、出荷先の遊技店の属する出荷地域と、前記真贋判定手段によって真正ではない可能性があると判定された景品を受け付けた受付地域とに含まれる前記買取場を報知対象とする
ことを特徴とする景品流通管理システム。
【請求項２】
前記遊技店に対する前記景品の出荷に係る出荷した日付と、出荷先の前記遊技店と、出荷した前記景品の識別番号とを出荷情報として記録する出荷情報記録手段と、
前記出荷情報と前記景品情報取得手段によって取得した前記景品の識別情報とに基づいて、出荷先の前記遊技店を特定し、特定された前記遊技店の情報から当該遊技店の属する地区を前記出荷地域として特定する出荷地域特定手段と
をさらに備えたことを特徴とする請求項１に記載の景品流通管理システム。
【請求項３】
前記アラート報知手段によって報知された情報に基づいて、前記景品の買取の制限を行う買取制限手段をさらに備えたことを特徴とする請求項１又は２に記載の景品流通管理システム。
【請求項４】
前記真贋判定手段は、
少なくとも、前記景品情報取得手段によって取得した景品の識別情報が取得できない場合には前記景品は真正ではない可能性があると判定し、
前記景品情報取得手段によって取得した景品の識別情報の形式が所定の形式ではない場合には前記景品は真正ではない可能性があると判定し、
前記景品情報取得手段によって取得した識別情報の景品が前記遊技店に対して出荷されたことを示す記録が、前記出荷情報記録手段によって記録した出荷情報に含まれていない場合には前記景品は真正ではない可能性があると判定する
ことを特徴とする請求項２に記載の景品流通管理システム。
【請求項５】
前記真贋判定手段は、前記景品情報取得手段によって取得した景品の識別情報と、前記出荷情報記録手段で記録した出荷情報とに基づいて当該識別情報に対応した景品の出荷した日付を特定し、本日の日付が前記出荷した日付から所定の日数が経過している場合には、前記景品は真正ではない可能性があると判定することを特徴とする請求項２に記載の景品流通管理システム。
【請求項６】
遊技店での遊技の結果に応じて提供される景品の流通を管理する景品流通管理方法であって、
前記景品の個体を識別する識別情報を取得する景品情報取得ステップと、
前記景品情報取得ステップによって取得した識別情報に基づいて前記景品の真贋の判定を行って、前記判定の結果である判定結果と前記判定の根拠である判定根拠情報とを出力する真贋判定ステップと、
前記真贋判定ステップによって出力された判定結果が前記景品が真正ではない可能性があるという判定結果であった場合に、前記判定根拠情報に基づいて前記景品の買取を行う買取場に対するアラート報知の要否を判定する報知要否判定ステップと、
前記報知要否判定ステップによってアラート報知が必要と判定された場合には、前記買取場に流通経路内で真正ではない可能性がある景品が検出されたことを示すアラート情報を報知するアラート報知ステップと
を含み、
前記アラート報知ステップは、出荷先の遊技店の属する出荷地域と、前記真贋判定ステップによって真正ではない可能性があると判定された景品を受け付けた受付地域とに含まれる前記買取場を報知対象とする
ことを特徴とする景品流通管理方法。
【発明の詳細な説明】
【技術分野】
【０００１】
この発明は、遊技店で遊技媒体と交換可能で、買取場で買い取ってもらうことが可能な景品の流通を管理する景品流通管理システム及び景品流通管理方法に関する。
【背景技術】
【０００２】
従来、パチンコ店等の遊技店では、遊技により獲得した遊技媒体と交換可能な景品の一種として、特殊景品と呼ばれる景品が使用されている。この特殊景品は、所定の買取場で買い取って貰うことができる景品である。該特殊景品は、遊技店や買取場において、厳格に真贋判定や在庫管理がなされている。例えば、特許文献１では、特殊景品にＩＣチップを取り付けて、遊技店及び買取場では特殊景品に取り付けられたＩＣチップを読みこむことによって特殊景品の真贋判定を行うとともに、問屋からの入荷、景品交換による払出、買取場で買取済などのステータスを特殊景品のＩＣチップに記憶された識別情報ごとに管理する技術が開示されている。
【先行技術文献】
【特許文献】
【０００３】
【特許文献１】特開２００７−２１５８５１号公報
【特許文献２】特開２００５−０４６２８４号公報
【発明の概要】
【発明が解決しようとする課題】
【０００４】
しかしながら、かかる特許文献１を用いた場合には、特殊景品に取り付けられたＩＣチップを読み込むことによって厳格な真贋判定を行って、偽造された特殊景品が発見されたとしても他の買取場や問屋などへの情報提供をタイムリーに行おうとすると多大な人的労力が必要になるという問題がある。
【０００５】
このことを具体的に説明する。ある買取場で偽造された特殊景品（以下、偽造景品と言う）が発見されたならば、往々にして同じように偽造された特殊景品が他の景品買取場にも持ち込まれることがあることから、当該偽造景品による被害の拡大を防止するためにも、他の買取場や問屋に対していち早く発見された偽造景品の情報を提供することが重要となる。しかしながら、偽造景品の発見された買取場の含まれる同一地区内の買取場に対して情報提供しようとしたとしても、情報を通知すべき対象となる買取場を特定して、人手によって電話やメールで情報を発信するということは人的労力が必要となってしまう。しかも、偽造景品を発見した場合などは、その対応で買取場の本来の業務すら保留せざるを得ない状況となることから、他の買取場などへの情報の通知をタイムリーに行うことは実質的には不可能である。このため、情報の展開が行われていれば回避できた偽造による損害を被ってしまうということが起こり得るのである。
【０００６】
なお、特殊景品を、デジタルコンテンツとする景品交換及び景品交換に係る技術（例えば、特許文献２に記載される技術）を用いて、遊技店における景品交換によって遊技客に渡される景品の偽造を簡単には行えないようにするという方策も考えられる。しかし、特殊景品をデジタルコンテンツに移行することは現実的ではないので、現に用いられている有形の特殊景品の偽造を発見した時に、偽造による被害の拡大を抑制できるようにすることが重要な課題となっているのである。
【０００７】
本発明は、上述した従来技術の課題を解消するためのものであって、遊技店で遊技媒体と交換可能で、買取場で買い取ってもらうことが可能な景品の流通において、景品の偽造を発見した場合に偽造された景品による被害の拡大を抑制することができる景品流通管理システム及び景品流通管理方法を提供することを目的とする。
【課題を解決するための手段】
【０００８】
上述した課題を解決し、目的を達成するため、本発明は、遊技店での遊技の結果に応じて提供される景品の流通を管理する景品流通管理システムであって、前記景品の個体を識別する識別情報を取得する景品情報取得手段と、前記景品情報取得手段によって取得した識別情報に基づいて前記景品の真贋の判定を行って、前記判定の結果である判定結果と前記判定の根拠である判定根拠情報とを出力する真贋判定手段と、前記真贋判定手段によって出力された判定結果が前記景品が真正ではない可能性があるという判定結果であった場合に、前記判定根拠情報に基づいて前記景品の買取を行う買取場に対するアラート報知の要否を判定する報知要否判定手段と、前記報知要否判定手段によってアラート報知が必要と判定された場合には、前記買取場に流通経路内で真正ではない可能性がある景品が検出されたことを示すアラート情報を報知するアラート報知手段とを備え、前記アラート報知手段は、出荷先の遊技店の属する出荷地域と、前記真贋判定手段によって真正ではない可能性があると判定された景品を受け付けた受付地域とに含まれる前記買取場を報知対象とすることを特徴とする。
【０００９】
また、本発明は、上記発明において、前記遊技店に対する前記景品の出荷に係る出荷した日付と、出荷先の前記遊技店と、出荷した前記景品の識別番号とを出荷情報として記録する出荷情報記録手段と、前記出荷情報と前記景品情報取得手段によって取得した前記景品の識別情報とに基づいて、出荷先の前記遊技店を特定し、特定された前記遊技店の情報から当該遊技店の属する地区を前記出荷地域として特定する出荷地域特定手段とをさらに備えたことを特徴とする。
【００１０】
また、本発明は、上記発明において、前記アラート報知手段によって報知された情報に基づいて、前記景品の買取の制限を行う買取制限手段をさらに備えたことを特徴とする。
【００１１】
また、本発明は、上記発明において、前記真贋判定手段は、少なくとも、前記景品情報取得手段によって取得した景品の識別情報が取得できない場合には前記景品は真正ではない可能性があると判定し、前記景品情報取得手段によって取得した景品の識別情報の形式が所定の形式ではない場合には前記景品は真正ではない可能性があると判定し、前記景品情報取得手段によって取得した識別情報の景品が前記遊技店に対して出荷されたことを示す記録が、前記出荷情報記録手段によって記録した出荷情報に含まれていない場合には前記景品は真正ではない可能性があると判定することを特徴とする。
【００１２】
また、本発明は、上記発明において、前記真贋判定手段は、前記景品情報取得手段によって取得した景品の識別情報と、前記出荷情報記録手段で記録した出荷情報とに基づいて当該識別情報に対応した景品の出荷した日付を特定し、本日の日付が前記出荷した日付から所定の日数が経過している場合には、前記景品は真正ではない可能性があると判定することを特徴とする。
【００１３】
また、本発明は、遊技店での遊技の結果に応じて提供される景品の流通を管理する景品流通管理方法であって、前記景品の個体を識別する識別情報を取得する景品情報取得ステップと、前記景品情報取得ステップによって取得した識別情報に基づいて前記景品の真贋の判定を行って、前記判定の結果である判定結果と前記判定の根拠である判定根拠情報とを出力する真贋判定ステップと、前記真贋判定ステップによって出力された判定結果が前記景品が真正ではない可能性があるという判定結果であった場合に、前記判定根拠情報に基づいて前記景品の買取を行う買取場に対するアラート報知の要否を判定する報知要否判定ステップと、前記報知要否判定ステップによってアラート報知が必要と判定された場合には、前記買取場に流通経路内で真正ではない可能性がある景品が検出されたことを示すアラート情報を報知するアラート報知ステップとを含み、前記アラート報知ステップは、出荷先の遊技店の属する出荷地域と、前記真贋判定ステップによって真正ではない可能性があると判定された景品を受け付けた受付地域とに含まれる前記買取場を報知対象とすることを特徴とする。
【発明の効果】
【００１４】
本発明によれば、遊技店で遊技媒体と交換可能で、買取場で買い取ってもらうことが可能な景品の流通において、景品の偽造を発見した場合に偽造された景品による被害の拡大を抑制することができる。
【図面の簡単な説明】
【００１５】
【図１】図１は、本実施例に係る景品流通管理システムにおける偽造景品を検出した時の処理の概要を説明するための説明図である。
【図２】図２は、本実施例に係る景品流通管理システムのシステム構成を示す図である。
【図３】図３は、図２に示したセンターサーバの内部構成を示すブロック図である。
【図４】図４は、図２に示したセンターサーバのデータ構成について説明するための説明図（その１）である。
【図５】図５は、図２に示したセンターサーバのデータ構成について説明するための説明図（その２）である。
【図６】図６は、図２に示した問屋ＰＣの内部構成を示すブロック図である。
【図７】図７は、図２に示した問屋ＰＣのデータ構成について説明するための説明図である。
【図８】図８は、図２に示した買取場ＰＣの本実施例に係る内部構成を示すブロック図である。
【図９】図９は、図２に示した買取場ＰＣの本実施例に係るデータ構成について説明するための説明図である。
【図１０】図１０は、図２に示した買取場ＰＣの特殊景品買取処理の処理手順を示すフローチャートである。
【図１１】図１１は、図１０に示した真贋判定処理の詳細な処理手順を示すフローチャートである。
【図１２】図１２は、図２に示したセンターサーバが買取場ＰＣから偽造景品の検出の通報を受け付けた場合のアラート報知処理の処理手順を示すフローチャートである。
【図１３】図１３は、図２に示した買取場ＰＣがセンターサーバからアラート報知若しくはアラート解除通知を受け付けた場合の処理手順を示すフローチャートである。
【発明を実施するための形態】
【００１６】
以下に、添付図面を参照して、本発明に係る景品流通管理システム及び景品流通管理方法の好適な実施例を詳細に説明する。
【実施例】
【００１７】
まず、本実施例に係る景品流通管理システムにおける偽造景品を検出した時の処理の概要を説明する。図１は、本実施例に係る景品流通管理システムにおける偽造景品を検出した時の処理の概要を説明するための説明図である。
【００１８】
遊技店で遊技媒体と交換可能な景品の中には、買取場で買い取ってもらうことができる特殊景品が含まれている。特殊景品は、問屋から遊技店に出荷されて、遊技店で遊技客が遊技によって獲得した遊技媒体との交換によって遊技客に渡される。また、特殊景品を受け取った遊技客は、当該特殊景品を買取場で買い取ってもらうのが一般的である。
【００１９】
図１に示すように、１つの問屋Ｘは、複数の地区にまたがる複数の遊技店に対して特殊景品の出荷を行う。その際には、出荷した特殊景品に取り付けられたＩＣタグに記憶された情報を読み込むことによって、個別の識別情報を含む出荷の履歴を記録する。図１に示すケース１では、問屋Ｘから出荷された特殊景品を遊技店Ａ１で景品交換によって取得した遊技客が、買取場Ａ１に取得した特殊景品を持ち込んで買い取ってもらう例を示している。買取場Ａ１では、持ち込まれた特殊景品を買い取る際には、持ち込まれた特殊景品が真正な特殊景品であるか否かの判定を行って、真正な特殊景品であると判定された場合に限って持ち込まれた特殊景品の買取を行う。持ち込まれた特殊景品が真正な特殊景品か否かの判定は、特殊景品に取り付けられたＩＣタグに記憶された情報を読み込むことによって取得できる特殊景品の識別情報と、問屋Ｘから出荷された特殊景品の出荷の履歴とから、持ち込まれた特殊景品が問屋から出荷された履歴のあること、及び同一の識別情報の特殊景品が既に買い取られていないことなどを確認することをもって真正と判定する。
【００２０】
図１に示すケース２では、遊技店Ａ３で遊技媒体との交換によって取得した特殊景品を参考にして、偽造景品を作って買取場Ｂ１に持ち込んだ例を示している。買取場Ｂ１においても、持ち込まれた特殊景品が真正な特殊景品であるか否かの真贋判定を行い、ケース２においては持ち込まれた景品が偽造景品であることから、真贋判定の結果は持ち込まれた特殊景品が真正な特殊景品ではないと判定される。
【００２１】
偽造景品の検出をした場合には、検出された偽造景品の景品種類、偽造景品から読み取った識別情報、買取場の識別情報及び偽造と判断した根拠を含む偽造が疑われる特殊景品を検知したことを示す偽造検知通報を、買取場Ｂ１からセンターサーバ６０に通報する。偽造検知通報を受け付けたセンターサーバ６０は、受け付けた偽造検知通報に基づいて、当該偽造検知通報を関連する買取場に報知することの要否の判定を行う。
【００２２】
当該偽造検知情報を関連する買取場へのアラートが必要と判定した場合には、センターサーバ６０は、受け付けた偽造検知通報に含まれる偽造景品の識別情報から、当該識別情報に対応する特殊景品の出荷履歴から当該識別情報に対応する特殊景品の出荷された地区（地区Ａ）を特定して、地区Ａに含まれる買取場（買取場Ａ１、Ａ２、Ａ３など）に、地区Ａに出荷された特殊景品の偽造が発生したことを示すアラート報知を行う。また、センターサーバ６０は、受け付けた偽造検知情報に含まれる偽造を検知した買取場の識別情報から、当該買取場の含まれる地区（地区Ｂ）を特定して、地区Ｂに含まれる買取場（買取場Ｂ１、Ｂ２、Ｂ３など）に、地区Ｂにおいて偽造景品が検出されたことを示す偽造アラート報知を行う。偽造アラート報知を受けつけた買取場では、偽造アラート報知に含まれる偽造景品の種類、偽造景品の識別情報及び同一の偽造景品検出時の扱いを示す報知区分などに基づいて、特殊景品の買取の制限を行ったり注意メッセージの表示を行う。
【００２３】
このように、景品ごとの個体を識別する識別情報を取得して、取得した識別情報に基づいて景品の真贋の判定を行い、景品が真正な景品であると判定されなかった場合に、景品の識別情報を含む真正とは判定できない景品を検出したことを示す情報を通報するようにした。また、通報された内容に基づいてアラート報知の要否の判定を行って、アラート報知が必要と判定した場合には景品の買取を行う買取場に景品の流通経路内で真正ではない景品が検出されたことを示すアラート情報を報知するようにした。さらに、当該報知を受け付けた買取場では同じ種類又は同じ識別情報の景品に対して買取の制限を行ったり注意喚起メッセージの表示を行うようにしたので、遊技店で遊技媒体と交換可能で、買取場で買い取ってもらうことが可能な景品の流通において、景品の偽造を発見した場合に偽造された景品による被害の拡大を抑制することができる。
【００２４】
次に、本実施例に係る景品流通管理システムのシステム構成を説明する。図２は、本実施例に係る景品流通管理システムのシステム構成を示す図である。
【００２５】
特殊景品の流通経路は問屋、遊技店及び買取場である。問屋には、ＩＣタグリーダ１３の接続された問屋ＰＣ１０があり、買取場にはＩＣタグリーダ３３の接続された買取場ＰＣ３０と入出金ターミナル４０がある。問屋ＰＣ１０及び買取場ＰＣ３０は回線網を通してセンターサーバ６０に接続している。センターサーバ６０は問屋、遊技店及び買取場に流通する特殊景品の流通状況を記録する特殊景品状況データ６４ａと、特殊景品の流通の履歴である特殊景品流通履歴データ６４ｂとを有する。また、買取場の入出金ターミナル４０と買取場ＰＣ３０はＬＡＮ等の通信経路を経由して接続されており、データの送受信を行うことができる。また、図２には便宜上、問屋、遊技店及び買取場を１つずつ図示しているが、実際には問屋、遊技店及び買取場は、いずれも１つ若しくは複数存在している。
【００２６】
問屋ＰＣ１０は、新規生産された特殊景品及び買取場から買い付けた特殊景品を入荷したならば、入荷したそれぞれの特殊景品に付けられているＩＣタグから特殊景品の種類や固有ＩＤを読み込んで、読み込んだ特殊景品の固有ＩＤに、入荷元の買取場の識別情報、問屋の識別情報、買取価格及び「問屋へ入荷」を示すデータなどを付け加えて、センターサーバ６０に通知する。これを受けたセンターサーバ６０は、受け付けたデータの特殊景品ごとに、該特殊景品の固有ＩＤと一致するレコードが特殊景品状況データ６４ａに存在する場合には固有ＩＤの一致したレコードを受け付けた特殊景品のデータで更新し、該特殊景品の固有ＩＤと一致するレコードが特殊景品状況データ６４ａに存在しない場合には、特殊景品状況データ６４ａに受け付けた特殊景品のレコードを追加する。また、センターサーバ６０は、受け付けた通知の内容を当該特殊景品が問屋へ入荷されたという流通の履歴を、特殊景品流通履歴データ６４ｂに追加登録する。
【００２７】
また、問屋ＰＣ１０は、遊技店への特殊景品の出荷時に、接続されているＩＣタグリーダ１３で出荷する特殊景品の固有ＩＤを読み込んで、読み込んだ固有ＩＤに問屋の識別情報、出荷先の遊技店の識別情報、販売価格及び「問屋から出荷」を示すデータなどを付け加えて、センターサーバ６０に通知する。これを受けたセンターサーバ６０は、受け付けたデータの特殊景品ごとに、受け付けたデータに含まれる特殊景品の固有ＩＤと一致する特殊景品状況データ６４ａ上のレコードの状態を指定された「問屋から出荷済」を示す値に更新する。また、センターサーバ６０は、受け付けた通知の内容を当該特殊景品が問屋から出荷されたという流通の履歴として、特殊景品流通履歴データ６４ｂに追加登録する。
【００２８】
買取場ＰＣ３０は、遊技客により特殊景品が持ち込まれると、接続されているＩＣタグリーダ３３で持ち込まれた特殊景品の固有ＩＤを読み込んで、読みこまれた固有ＩＤに基づいて特殊景品の真贋判定を行う。持ち込まれた特殊景品の真贋判定で真正な特殊景品であることの確認が行われたならば、入出金ターミナル４０で持ち込まれた特殊景品の買取処理を行う。
【００２９】
買取場ＰＣ３０における特殊景品の真贋判定について説明する。買取場ＰＣ３０は、予めセンターサーバ６０から問屋から出荷済の特殊景品の一覧を入手する。買取場ＰＣ３０は、ＩＣタグリーダ３３で読み込んだ特殊景品の固有ＩＤの形式が真正な特殊景品の固有ＩＤの形式であるか否かをチェックして、真正な特殊景品の固有ＩＤの形式ではない場合には真正な特殊景品ではないと判定する。また、ＩＣタグリーダ３３で読み込んだ特殊景品の固有ＩＤが、問屋から出荷済の特殊景品の一覧に存在しない場合には、真正な特殊景品ではないと判定する。また、買取場ＰＣ３０は、真正な特殊景品ではない、又は真正な特殊景品ではない可能性があると判定した場合には、その旨のメッセージを報知するとともに、センターサーバ６０に真正ではない、又は真正ではない可能性があると判定した特殊景品が検出されたことを示す偽造検知通報を送信する。
【００３０】
偽造検知通報を受け付けたセンターサーバ６０は、受け付けた偽造検知通報の内容に基づいて他の買取場へのアラート報知の要否の判定を行い、アラート報知が必要と判定した場合には偽造検知通報の内容に基づいたアラートを関連する買取場の買取場ＰＣ３０に送信する。
【００３１】
入出金ターミナル４０は、特殊景品の買取処理に伴う現金の払い出しを行う。買取場ＰＣ３０は、買取処理が終了したならば、所定のタイミングで買取済の景品データをセンターサーバ６０に通知する。買取済の景品データには、買取場の識別情報、買取額、特殊景品の固有ＩＤなどが含まれる。これを受け付けたセンターサーバ６０は、受け付けたデータの特殊景品ごとに、受け付けたデータに含まれる特殊景品の固有ＩＤと一致する特殊景品状況データ６４ａ上のレコードの状態を「買取場在庫」を示す値に更新する。また、センターサーバ６０は、受け付けた通知の内容を当該特殊景品が買取場で買い取られたという流通の履歴として、特殊景品流通履歴データ６４ｂに追加登録する。
【００３２】
また、買取場ＰＣ３０は、問屋への特殊景品の出荷時に、遊技客からの買取時に読み取って記憶した特殊景品の固有ＩＤに出荷先の問屋の識別情報及び売却価格などを付け加えて、センターサーバ６０に通知する。これを受けたセンターサーバ６０は、受け付けたデータの特殊景品ごとに、受け付けたデータに含まれる特殊景品の固有ＩＤと一致する特殊景品状況データ６４ａ上のレコードの状態を「買取場から出荷済」を示す値に更新する。また、センターサーバ６０は、受け付けた通知の内容を当該特殊景品が買取場から出荷されたという流通の履歴として、特殊景品流通履歴データ６４ｂに追加登録する。
【００３３】
本実施例では、買取場から問屋への特殊景品の出荷時に、買取場ＰＣ３０で遊技客からの買取時に読み取って記憶した特殊景品の固有ＩＤを利用してセンターサーバ６０に出荷する特殊景品の固有ＩＤを通知したが、本発明はこれに限定しない。出荷する全ての特殊景品の固有ＩＤを、ＩＣタグリーダ３３で読み取って、読み取った特殊景品の固有ＩＤをセンターサーバ６０に通知してもよい。
【００３４】
次に、図２に示したセンターサーバ６０の内部構成を説明する。図３は、センターサーバ６０の内部構成を示すブロック図である。図３に示すように、センターサーバ６０は、入力部６１及び表示部６２と接続される。入力部６１は、キーボードやマウス等であり、表示部６２は、液晶パネルやディスプレイ装置等である。
【００３５】
また、センターサーバ６０は、通信部６３と、記憶部６４と、制御部６５とを有する。通信部６３は、回線網を通して問屋ＰＣ１０及び買取場ＰＣ３０とデータ通信するためのインタフェース部である。
【００３６】
記憶部６４は、ハードディスク装置や不揮発性メモリ等の記憶デバイスであり、特殊景品状況データ６４ａ、特殊景品流通履歴データ６４ｂ、景品種類データ６４ｃ、拠点データ６４ｄ、受付通報データ６４ｅ及びアラート報知履歴データ６４ｆを有する。
【００３７】
特殊景品状況データ６４ａは、問屋、遊技店及び買取場の拠点及びこれらの拠点間を搬送中の全ての特殊景品に関して、特殊景品の種類、固有ＩＤ及び状態などの情報が記憶されたデータである。特殊景品流通履歴データ６４ｂは、特殊景品の流通経路内での移動の全ての履歴を記録したものである。
【００３８】
景品種類データ６４ｃは、景品の種類ごとの市場価値を対応付けたデータである。拠点データ６４ｄは、遊技店又は買取場ごとに、所属地区と、対応する問屋の情報と、取り扱っている景品の種類の情報とを対応付けたデータである。受付通報データ６４ｅは、買取場ＰＣ３０から受け付けた偽造検知通報を蓄積したデータである。アラート報知履歴データ６４ｆは、買取場ＰＣ３０から受け付けた偽造検知通報に基づいて報知したアラートの一覧である。
【００３９】
制御部６５は、センターサーバ６０の全体を制御する制御部であり、特殊景品状況管理部６５ａ、通報受付処理部６５ｂ、報知処理部６５ｃ及び景品流通履歴照会部６５ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００４０】
特殊景品状況管理部６５ａは、問屋ＰＣ１０及び買取場ＰＣ３０から通知される、特殊景品の状況の変化を通知するデータを受け付けて、受け付けた個々の特殊景品の状況に係る情報を特殊景品状況データ６４ａ及び特殊景品流通履歴データ６４ｂに反映する。問屋ＰＣ１０からは、新規に生産された特殊景品の入荷及び集荷場からの特殊景品の入荷に係る情報が通知され、特殊景品状況管理部６５ａは、通知された内容を特殊景品状況データ６４ａ及び特殊景品流通履歴データ６４ｂに反映する。また、問屋ＰＣ１０からは、遊技店への出荷に係る特殊景品の情報が通知され、特殊景品状況管理部６５ａは、通知された内容を特殊景品状況データ６４ａ及び特殊景品流通履歴データ６４ｂに反映する。買取場ＰＣ３０からは、遊技客が持ち込んで買取場が買い取った特殊景品の状況に係る情報が通知され、特殊景品状況管理部６５ａは、買取場が買い取った特殊景品の状況に係る情報を特殊景品状況データ６４ａ及び特殊景品流通履歴データ６４ｂに反映する。また、買取場ＰＣ３０からは、問屋への出荷に係る特殊景品の情報が通知され、特殊景品状況管理部６５ａは、通知された内容を特殊景品状況データ６４ａ及び特殊景品流通履歴データ６４ｂに反映する。
【００４１】
また、特殊景品状況管理部６５ａは、問屋ＰＣ１０若しくは買取場ＰＣ３０との通信ができない状態になって、復旧して通信が行える状態に戻った場合には、復旧直後に送られてきたデータに関して、通信が正常に行えている時の過去のデータと比較して、取扱い量が所定の閾値以上の差異があった場合には、アラートを発報するようにしてもよい。
【００４２】
また、特殊景品状況管理部６５ａは、所定のタイミングで買取場ＰＣ３０に、問屋から出荷済で買取場でまだ買い取られていない特殊景品の一覧データを配信する。また、特殊景品状況管理部６５ａは、所定のタイミングで問屋ＰＣ１０に、買取場から出荷済で問屋にまだ入荷されていない特殊景品の一覧データを配信する。
【００４３】
通報受付処理部６５ｂは、買取場ＰＣ３０からの偽造検知通報を受け付けたならば、受け付けた偽造検知通報の内容を受付通報データ６４ｅに登録するとともに、受け付けた偽造検知通報の内容に基づいて関連する買取場及び問屋へのアラートの報知の要否の判定を行う。また、通報受付処理部６５ｂは、関連する買取場及び問屋へのアラートの報知の要否の判定の結果を受付通報データ６４ｅに記録する。
【００４４】
報知処理部６５ｃは、通報受付処理部６５ｂが買取場ＰＣ３０から受け付けた偽造検知通報に基づいて関連する買取場及び問屋へのアラートの報知が必要と判定した場合に、買取場ＰＣ３０から受け付けた偽造検知通報に基づいてアラートとして報知する内容を決定して、決定した内容を買取場ＰＣ３０及び問屋ＰＣ１０に送信する。また、報知処理部６５ｃは、送信したアラートの内容をアラート報知履歴データ６４ｆに記憶する。また、報知処理部６５ｃは、報知したアラートの解除の指示を受け付けたならば、アラートを報知済みの買取場ＰＣ３０にアラートの解除を示す報知番号を含むアラート解除通知を送信する。また、報知処理部６５ｃは、アラート解除通知を送信したならば、アラート報知履歴データ６４ｆの解除情報を「解除済」に変更する。
【００４５】
景品流通履歴照会部６５ｄは、特殊景品の固有ＩＤを含む照会の要求を受け付けると、指定された特殊景品の固有ＩＤに関する流通履歴と、指定された特殊景品の固有ＩＤに対応する偽造検知通報に係る情報と、指定された特殊景品の固有ＩＤに対応するアラート報知履歴に係る情報の照会結果を出力する。これによって、特殊景品個々の流通履歴や偽造と判定された実績などの照会を行うことができる。
【００４６】
次に、図２に示したセンターサーバ６０のデータ構成について説明する。図４及び図５は、センターサーバ６０のデータ構成について説明するための説明図である。まず、図４に示す特殊景品状況データ６４ａ、特殊景品流通履歴データ６４ｂ及び景品種類データ６４ｃのデータ構成について説明する。
【００４７】
特殊景品状況データ６４ａは、流通している特殊景品ごとに景品種類、景品単価、特殊景品の固有ＩＤ、ステータス、問屋情報、遊技店情報及び買取場情報を１レコードの保有項目とするデータである。ステータスは、問屋在庫であることを示す「０」、問屋から出荷済であることを示す「１」、遊技店在庫であることを示す「２」、遊技客に景品として払出済であることを示す「３」、買取場在庫であることを示す「４」、買取場から出荷済であることを示す「５」がある。また、問屋情報、遊技店情報及び、買取場情報にはそれぞれ問屋、遊技店若しくは買取場の識別名と問屋、遊技店若しくは買取場の入荷日、出荷日、入荷価格、出荷価格を有する。
【００４８】
特殊景品状況データ６４ａは、問屋が買取場から買い付けて問屋に入荷された時には、問屋情報に問屋識別名と入荷日が書き込まれ、問屋情報の出荷日、遊技店情報及び買取場情報はクリアされる。
【００４９】
本実施例では、遊技店に設置して本システムと接続される装置はないことから、遊技店への入荷や遊技店から遊技客への特殊景品の払出に係る情報は収集できないが、遊技店に、特殊景品に係る情報をセンターサーバ６０に通知することができる装置が設置されることを想定して、データ構成上は遊技店情報を含めた構成としている。
【００５０】
図４の特殊景品状況データ６４ａの例は、景品種類が「Ａ」で、景品単価が「５，０００」円で、固有ＩＤが「Ａ１２３４５」で、ステータスが「買取場在庫」で有ることを示す「４」で、「問屋Ａ」に「２０１３／４／５」に入荷価格「４，９００」円で入荷して、「遊技店Ａ」に「２０１３／４／１０」に出荷価格「５，０００」円で出荷して、「買取場Ａ」で「２０１３／４／１１」に入荷価格「４，８５０」円で買い取られたという情報を有するレコードが含まれていることを示している。
【００５１】
特殊景品流通履歴データ６４ｂは、特殊景品の固有ＩＤ、流通経路内の移動の発生した日付と時刻、履歴区分、移動元の情報、移動先の情報及び取引価格をレコードの保有項目とするデータである。履歴区分とは「１」が入荷の履歴で、「２」が出荷の履歴であることを示す。また、移動元及び移動先のデータは経路区分と経路の識別名を有し、経路区分は「１」が問屋、「２」が遊技店、「３」が買取場であることを示す。
【００５２】
図４の特殊景品流通履歴データ６４ｂの例は、固有ＩＤが「Ａ１２３４５」の特殊景品が、日付が「２０１３／４／１１」の時刻「１８：３０」に、履歴区分が「２」であり出荷の履歴であり、経路識別名が「遊技店Ａ」の経路区分「２」の示す遊技店から、経路識別名が「買取場Ａ」の経路区分「３」の示す買取場へ、取引価格が「４，８５０」円で取引された特殊景品の流通の履歴データが含まれていることを示している。
【００５３】
景品種類データ６４ｃは、特殊景品の景品種類と該景品種類の市場価値をレコードの保有項目とするデータである。図４の景品種類データ６４ｃの例は、特殊景品Ａの市場価値が「５，０００」円で、特殊景品Ｂの市場価値が「１，０００」円であることを示している。
【００５４】
次に、図５に示す拠点データ６４ｄ、受付通報データ６４ｅ及びアラート報知履歴データ６４ｆのデータ構成について説明する。拠点データ６４ｄは、拠点の種類、拠点の識別名、所属する地区名、取引を行う問屋の識別名及び取り扱う特殊景品の景品種類をレコードの保有項目とするデータである。拠点データ６４ｄによって、遊技店又は買取場が所属する地区、遊技店又は買取場が取引を行っている問屋及び遊技店又は買取場が取り扱っている特殊景品の景品種類の情報を有する。
【００５５】
図５の拠点データ６４ｄの例は、拠点の種別が「遊技店」で、拠点の識別名が「遊技店Ａ」の遊技店は、地区名が「Ａ地区」の地区に含まれ、取引を行っている問屋の識別名は「問屋Ａ」で、取り扱っている特殊景品の景品種類は「景品Ａ、景品Ｂ、景品Ｃ」であることを示している。また、拠点の種別が「買取場」で、拠点の識別名が「買取場Ｂ」の買取場は、地区名が「Ｂ地区」の地区に含まれ、取引を行っている問屋の識別名は「問屋Ｂ」で、取り扱っている特殊景品の景品種類は「景品Ｃ、景品Ｄ」であることを示している。
【００５６】
受付通報データ６４ｅは、偽造検知通報の受付ごとに採番される受付番号に関連付けて、偽造検知通報を受け付けた日付及び時刻と、偽造検知通報を通報してきた買取場の識別名と、偽造検知の対象となった特殊景品の種類及び固有ＩＤと、通報区分と、対応する報知番号と、当該報知に基づいて関連する買取場及び問屋へのアラート報知の要否の判定結果とをレコードの項目とするデータである。通報区分は、偽造である、又は偽造であることが疑わしいと判定された根拠を示したデータである。また、通報区分は、コード化されたデータであって、「０１」は固有ＩＤの形式が不正であることを示し、「０２」は問屋からの出荷履歴と不整合であることを示し、「０３」は同一の固有ＩＤを検知したことを示し、「０４」は店員によって偽の特殊景品であること判断されたことを示し、「１１」は問屋から出荷後所定時間が経過していることを示し、「１２」は店員によって疑わしい特殊景品であること判断されたことを示し、「２１」はセンターサーバ６０からのアラート報知に対応する特殊景品が検知されたことを示す。また、対応する報知番号とは通報区分が「２１」のアラート報知に対応する特殊景品の検知であった場合に、対応するアラート報知を識別する報知番号である。
【００５７】
図５の受付通報データ６４ｅの例は、受付番号が「０１０１」の偽造検知通報は、日付が「２０１３／４／１」の、時刻が「１７：００」に、「買取場Ｍ」から受け付けて、受け付けた内容は特殊景品の種類が「景品Ａ」で、固有ＩＤが「Ａ９８７６５」の特殊景品に関して、通報区分が「０３」であり同一の固有ＩＤが検知され、当該通報に対してアラートの報知が「要」であると判定したことを示している。また、受付番号が「０１０２」の偽造検知通報は、日付が「２０１３／４／１」の、時刻が「１８：００」に、「買取場Ｎ」から受け付けて、受け付けた内容は特殊景品の種類が「景品Ｂ」に関して、通報区分が「０４」であり店員によって偽の特殊景品であること判断され、当該通報に対してアラートの報知が「要」であると判定したことを示している。また、受付番号が「０１０３」の偽造検知通報は、日付が「２０１３／４／１」の、時刻が「１９：００」に、「買取場Ｓ」から受け付けて、受け付けた内容は特殊景品の種類が「景品Ａ」で、固有ＩＤが「Ａ９８７６５」の特殊景品に関して、通報区分が「２１」でありセンターサーバ６０からのアラート報知に対応する特殊景品の検知であり、対応するアラート報知の報知番号は「０００１」で、当該通報に対してアラートの報知が「不要」であると判定したことを示している。
【００５８】
アラート報知履歴データ６４ｆは、アラート報知を行った履歴であって、アラート報知の識別情報である報知番号と、当該アラート報知の行うことを決定した偽造検知通報である関連通報受付番号と、報知対象の情報と、報知するアラートの内容と、報知メッセージと、解除情報とをレコードの保有項目とするデータである。報知対象の情報とは、アラートを報知する地区名及び問屋の識別名を有する。また、アラート内容には、報知区分と、報知するアラートに係る特殊景品の種類及び固有ＩＤなどを含む。報知区分は、コード化されたデータであって、「０１」は、全特殊景品の買取の制限を示し、「０２」は、アラート内容に含まれる特殊景品の種類及び固有ＩＤに対応する特殊景品の買取の制限を示し、「１１」は、全特殊景品の買取時に注意喚起のメッセージを表示することを示し、「１２」は、アラート内容に含まれる特殊景品の種類及び固有ＩＤに対応する特殊景品の買取時に注意喚起のメッセージを表示することを示す。また、解除情報は、アラート報知を行った直後は、アラートの解除がまだ行われていないことを示す「未」が設定されているが、当該アラートの解除を受け付けた場合にはアラートが解除済みであることを示す「解除済」に更新される。
【００５９】
図５のアラート報知履歴データ６４ｆの例は、報知番号が「０００１」のアラート報知は、関連通報受付番号が「０１０１」の偽造検知通報に対応するものであって、「地区Ｄ」及び「地区Ｋ」などの地区に含まれる買取場と「問屋Ｄ」及び「問屋Ｋ」などの問屋に報知され、アラートの内容は、報知区分が「０２」であり、景品の種類が「景品Ａ」で固有ＩＤが「Ａ９８７６５」の特殊景品の買取が制限されていて、解除情報は「未」であり当該アラートは未解除であることを示している。また、報知番号が「０００２」のアラート報知は、受付番号が「０１０２」の偽造検知通報に対応するものであって、「地区Ｓ」の地区に含まれる買取場と「問屋Ｒ」の問屋に報知され、アラートの内容は、報知区分が「０２」であり、景品の種類が「景品Ｂ」の特殊景品の買取が制限されていて、解除情報は「未」であり当該アラートは未解除であることを示している。
【００６０】
次に、図２に示した問屋ＰＣ１０の内部構成を説明する。図６は、問屋ＰＣ１０の内部構成を示すブロック図である。図６に示すように、問屋ＰＣ１０は、入力部１１、表示部１２及びＩＣタグリーダ１３と接続される。入力部１１は、キーボードやマウス等であり、表示部１２は、液晶パネルやディスプレイ装置等である。ＩＣタグリーダ１３は、ＩＣタグに記憶されている情報を読み取る装置である。
【００６１】
また、問屋ＰＣ１０は、通信部１４と、記憶部１５と、制御部１６とを有する。通信部１４は、回線網を通してセンターサーバ６０とデータ通信するためのインタフェース部である。
【００６２】
記憶部１５は、ハードディスク装置や不揮発性メモリ等の記憶デバイスであり、買取場出荷データ１５ａ、入荷景品データ１５ｂ及び出荷景品データ１５ｃを有する。買取場出荷データ１５ａは、状態が「買取場から出荷済」である全ての特殊景品の固有ＩＤの情報を有しており、センターサーバ６０から所定のタイミングで入手したデータである。入荷景品データ１５ｂは、買取場から問屋に入荷した特殊景品の固有ＩＤを記憶したデータである。出荷景品データ１５ｃは、問屋から遊技店への出荷処理時に生成されて、センターサーバ６０に送信されるデータである。
【００６３】
制御部１６は、問屋ＰＣ１０の全体を制御する制御部であり、買取場出荷データ取得部１６ａ、真贋判定部１６ｂ、入荷処理部１６ｃ、出荷処理部１６ｄ及び報知情報出力処理部１６ｅを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６４】
買取場出荷データ取得部１６ａは、所定のタイミングでセンターサーバ６０から配布された、買取場から出荷済で問屋にまだ入荷されていない特殊景品の一覧データを受け付けて、買取場出荷データ１５ａに書き込む。
【００６５】
真贋判定部１６ｂは、ＩＣタグリーダ１３で読み取った特殊景品の固有ＩＤが、買取場出荷データ１５ａに記憶されている買取場から出荷済で問屋に未入荷の特殊景品の一覧に含まれていて、入荷景品データ１５ｂに含まれていないことによって、真正な特殊景品であることの判定を行う。真正な特殊景品であると判定した場合には、読み取った特殊景品の情報を入荷景品データ１５ｂに書き込む。また、読み取った特殊景品の情報を入荷景品データ１５ｂに書き込む際には、ステータスはセンターサーバ６０に未送信で有ることを示す「０」として書き込む。
【００６６】
入荷処理部１６ｃは、入荷景品データ１５ｂのデータの中で、ステータスがセンターサーバ６０に未送信で有ることを示す「０」であるレコードの情報を基にして、入荷した特殊景品の固有ＩＤなどの情報をセンターサーバ６０に送信して、入荷景品データ１５ｂの送信対象となったレコードのステータスを、センターサーバ６０に送信済で有ることを示す「１」に更新する。
【００６７】
出荷処理部１６ｄは、遊技店からの特殊景品の注文に応じて、ステータスはセンターサーバ６０に未送信で有ることを示す「０」の出荷景品データ１５ｃの生成をして、生成した出荷景品データ１５ｃをセンターサーバ６０に送信して、送信したデータのステータスを、センターサーバ６０に送信済で有ることを示す「１」に更新する。
【００６８】
報知情報出力処理部１６ｅは、センターサーバ６０から報知された内容に従って、買取場で検知された真正な特殊景品と判定されなかった特殊景品に係る情報を出力する。これによって、問屋の従業員に対して偽造、又は偽造が疑われる特殊景品の流通に係る情報が提供され、偽造景品として報知された特殊景品に対する注意喚起をおこなうことができる。
【００６９】
なお、上述の図６の説明では、真贋判定部１６ｂは、ＩＣタグリーダ１３で読み込んだ特殊景品の固有ＩＤが事前にセンターサーバ６０から配信された買取場出荷データ１５ａに含まれていることを真正な特殊景品であることの条件としたが、本発明はこれに限定されるものではない。例えば、ＩＣタグリーダ１３で読み込んだ特殊景品の固有ＩＤを含む真贋判定要求をセンターサーバ６０に送信して、センターサーバ６０で受け付けた固有ＩＤの特殊景品の状態が買取場から出荷済みであるか否かで真贋の判定を行ってその応答を問屋ＰＣ１０に返信するようにしてもよい。
【００７０】
次に、図２に示した問屋ＰＣ１０のデータ構成について説明する。図７は、問屋ＰＣ１０のデータ構成について説明するための説明図である。
【００７１】
買取場出荷データ１５ａは、買取場から出荷された出荷日付、出荷時刻、出荷元の買取場の識別名、出荷先の問屋の識別名、出荷された特殊景品の景品種類及び当該特殊景品の固有ＩＤをレコードの保有項目とするデータである。図７の買取場出荷データ１５ａの例は、日付「２０１３／４／１０」の時刻「１０：００」に、「買取場Ａ」から「問屋Ａ」に出荷された特殊景品は、景品種類が「景品Ａ」で、固有ＩＤが「Ａ１２３４５」であることを示している。
【００７２】
入荷景品データ１５ｂは、問屋に入荷した特殊景品に係るデータであり、問屋に入荷した日付、入荷時刻、入荷元の買取場の識別名、問屋の識別名、ステータス、特殊景品の景品種類と固有ＩＤを１レコードの保有項目とするデータである。ステータスはコード化されており、問屋に入荷したことをセンターサーバ６０に未送信であることを示す「０」と、問屋に入荷したことをセンターサーバ６０に送信済であることを示す「１」とがある。
【００７３】
図７の入荷景品データ１５ｂの例は、入荷日付が「２０１３／４／１２」で、入荷時刻が「１２：００」で、入荷元の買取場識別名が「買取場Ａ」で、問屋の識別名が「問屋Ａ」で、ステータスがセンターサーバ６０に未送信であることを示す「０」で、景品種類が「景品Ａ」で、固有ＩＤが「Ａ１２３４５」であることを示すレコードが含まれていることを示している。
【００７４】
出荷景品データ１５ｃは、問屋から遊技店に出荷するデータであり、出荷日付、出荷時刻、問屋の識別名、出荷先の遊技店の識別名、ステータス、特殊景品の景品種類と固有ＩＤ、問屋から遊技店への販売価格を１レコードの保有項目とするデータである。ステータスはコード化されており、遊技店に出荷したことをセンターサーバ６０に未送信を示す「０」と、遊技店に出荷したことをセンターサーバ６０に送信済であることを示す「１」とがある。
【００７５】
図７の出荷景品データ１５ｃの例は、出荷日付が「２０１３／４／１３」で、出荷時刻が「１６：００」で、出荷元の問屋識別名が「問屋Ａ」で、出荷先の遊技店の識別名が「遊技店Ａ」で、ステータスがセンターサーバ６０に未送信であることを示す「０」で、景品種類が「景品Ａ」で、固有ＩＤが「Ａ１２３４５」で、遊技店への販売価格が「５，０００」円であることを示すレコードが含まれていることを示している。
【００７６】
次に、図２に示した買取場ＰＣ３０の本実施例に係る内部構成を説明する。図８は、買取場ＰＣ３０の本実施例に係る内部構成を示すブロック図である。図８に示すように、買取場ＰＣ３０は、入力部３１、表示部３２、ＩＣタグリーダ３３及び入出金ターミナル４０と接続される。入力部３１は、キーボードやマウス等であり、表示部３２は、液晶パネルやディスプレイ装置等である。ＩＣタグリーダ３３は、ＩＣタグに記憶されている情報を読み取る装置である。
【００７７】
また、買取場ＰＣ３０は、通信部３４と、記憶部３５と、制御部３６とを有する。通信部３４は、回線網を通してセンターサーバ６０とデータ通信するためのインタフェース部である。
【００７８】
記憶部３５は、ハードディスク装置や不揮発性メモリ等の記憶デバイスであり、問屋出荷データ３５ａ、買取処理中景品データ３５ｂ、買取済景品データ３５ｃ、出荷景品データ３５ｄ、アラート受付データ３５ｅ及び通報データ３５ｆを有する。
【００７９】
問屋出荷データ３５ａは、状態が「問屋から出荷済」である全ての特殊景品の固有ＩＤの情報を有しており、センターサーバ６０から所定のタイミングで入手したデータである。買取処理中景品データ３５ｂは、遊技客が持ち込んだ特殊景品のＩＣタグをＩＣタグリーダ３３で読み込んだ時点で記憶され、買取処理が終了するとクリアされるデータであり、遊技客が持ち込んだ特殊景品の景品種類及び固有ＩＤなどの情報を有している。買取済景品データ３５ｃは、買取処理の履歴を記録したデータであり、買取処理によって追加登録される。買取済景品データ３５ｃは、特殊景品を買取場で買い取った日付、時刻、特殊景品の景品種類、固有ＩＤ及び買取価格などの情報を含む。
【００８０】
出荷景品データ３５ｄは、特殊景品の買取場から問屋への出荷処理で生成されるデータである。また、出荷景品データ３５ｄは、特殊景品を買取場から出荷した日付、時刻、特殊景品の景品種類、固有ＩＤ及び売却価格などの情報を含む。
【００８１】
アラート受付データ３５ｅは、センターサーバ６０から受け付けた偽造が疑われる特殊景品に係るアラートの内容を登録したデータである。また、通報データ３５ｆは、当該買取場ＰＣ３０において、偽造が疑われる特殊景品を検知した場合に生成されるデータであって、センターサーバ６０に偽造検知通報として送信されるデータである。
【００８２】
制御部３６は、買取場ＰＣ３０の全体を制御する制御部であり、配布データ取得部３６ａ、真贋判定部３６ｂ、買取処理部３６ｃ、買取データ送信部３６ｄ、出荷処理部３６ｅ、アラート報知受付部３６ｆ及び偽造検知通報部３６ｇを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００８３】
配布データ取得部３６ａは、所定のタイミングでセンターサーバ６０から配布される、問屋から出荷済で買取場での買取がまだ行われていない特殊景品の一覧データを受け付けて、問屋出荷データ３５ａに書き込む。
【００８４】
真贋判定部３６ｂは、ＩＣタグリーダ３３で読み取った特殊景品の固有ＩＤを基にして特殊景品の真贋判定を行う。具体的には、ＩＣタグリーダ３３で読み取った特殊景品の固有ＩＤが、所定の形式ではない場合には真正な特殊景品ではないと判定する。また、ＩＣタグリーダ３３で読み取った特殊景品の固有ＩＤが、問屋出荷データ３５ａの問屋から出荷済を示す問屋出荷データ３５ａに含まれていない場合、若しくは問屋出荷データ３５ａに含まれているが買取処理中景品データ３５ｂ若しくは買取済景品データ３５ｃのいずれかにも含まれている場合には、真正な特殊景品ではないと判定する。また、ＩＣタグリーダ３３で特殊景品の固有ＩＤの読み取りができない場合にも、真正な特殊景品ではないと判定する。また、問屋から遊技店へ出荷後、所定の期間が経過している特殊景品に関しては真正な特殊景品であるというのは疑わしいと判定する。また、他の買取場で検知された偽造景品と同等の景品か否かの判定を行い、他の買取場で検知された偽造景品と同等の特殊景品の場合には、注意喚起のメッセージの表示を行ったり、特殊景品ではないと判定する。また、これらのいずれでもない場合は、該特殊景品は真正な特殊景品であると判定し、読み取った特殊景品の情報を買取処理中景品データ３５ｂに書き込む。詳細な真贋判定の処理フローは後述する。
【００８５】
買取処理部３６ｃは、買取処理を行った入出金ターミナル４０から入手した特殊景品の種類ごとの買取価格と、買取処理中景品データ３５ｂを用いて、買取済景品データ３５ｃに買取処理の履歴のデータを追加する。また、買取処理部３６ｃは、買取済景品データ３５ｃへの買取処理の履歴のデータの追加が終了すると、買取処理中景品データ３５ｂのデータをクリアする。
【００８６】
買取データ送信部３６ｄは、買取済景品データ３５ｃのデータの中で、ステータスがセンターサーバ６０に未送信のレコードの情報を基にして、買い取った特殊景品ごとの景品種類、固有ＩＤ及び買取価格などの情報をセンターサーバ６０に送信して、送信した買取済景品データ３５ｃのレコードのステータスをセンターサーバ６０に送信済に更新する。
【００８７】
出荷処理部３６ｅは、買取済景品データ３５ｃから問屋へ出荷対象の特殊景品の指定を受け付けて、出荷指示のされた特殊景品の情報を買取済景品データ３５ｃから出荷景品データ３５ｄに抽出し、出荷景品データ３５ｄを基に特殊景品の景品種類、固有ＩＤ及び売却価格等の情報をセンターサーバ６０に送信し、送信した買取済景品データ３５ｃのレコードのステータスを問屋へ出荷済に更新する。
【００８８】
また、買取データ送信部３６ｄ及び出荷処理部３６ｅは、センターサーバ６０にデータ送信しようとした時に、センターサーバ６０との通信が行えない状態の場合には、センターサーバ６０との通信の復旧時若しくは次にセンターサーバ６０への送信を行う時に、通信が行えない状態であったことによって送信できなかったデータを送信することを可能とする。
【００８９】
アラート報知受付部３６ｆは、センターサーバ６０からのアラート報知を受け付けて、受け付けた内容をアラート受付データ３５ｅに登録するとともに、受け付けた情報に含まれるメッセージを表示部３２に出力する。また、アラート報知受付部３６ｆは、センターサーバ６０からのアラート解除通知を受け付けたならば、アラート受付データ３５ｅから指定されたアラート報知に係る情報を削除する。
【００９０】
偽造検知通報部３６ｇは、買取場に持ち込まれた特殊景品の買取処理において、持ち込まれた特殊景品の真贋判定において、真正な特殊景品であるとは判定できなかった場合について、センターサーバ６０に偽造若しくは偽造が疑われると判定した特殊景品を検知したことを示す偽造検知通報を送信する。
【００９１】
なお、上述の図８の説明では、真贋判定部３６ｂは、ＩＣタグリーダ３３で読み込んだ特殊景品の固有ＩＤが事前にセンターサーバ６０から配信された問屋出荷データ３５ａに含まれていることを正規な景品であることの条件としたが、本発明はこれに限定されるものではない。例えば、ＩＣタグリーダ３３で読み込んだ特殊景品の固有ＩＤを含む真贋判定要求をセンターサーバ６０に送信して、センターサーバ６０で受け付けた固有ＩＤの景品の状態が問屋から出荷済みであるか否かで真贋の判定を行ってその応答を買取場ＰＣ３０に返信するようにしてもよい。
【００９２】
次に、図２に示した買取場ＰＣ３０の本実施例に係るデータ構成について説明する。図９は、買取場ＰＣ３０の本実施例に係るデータ構成について説明するための説明図である。
【００９３】
問屋出荷データ３５ａは、問屋からの出荷された出荷日付、出荷時刻、出荷元の問屋の識別名、出荷先の遊技店の識別名、出荷された特殊景品の景品種類及び当該特殊景品の固有ＩＤをレコードの保有項目とするデータである。図９の問屋出荷データ３５ａの例は、日付「２０１３／４／１０」の時刻「１０：００」に、「問屋Ａ」から「遊技店Ａ」に出荷された特殊景品は、景品種類が「景品Ａ」で、固有ＩＤが「Ａ１２３４５」であることを示すレコードが含まれていることを示している。
【００９４】
買取処理中景品データ３５ｂは、買取場に遊技客が持ち込んだ特殊景品の景品種類、該特殊景品の景品単価及び該特殊景品の固有ＩＤをレコードの保有項目とするデータである。図９の買取処理中景品データ３５ｂの例は、買取場に遊技客が持ち込んだ特殊景品には、景品種類が「景品Ａ」で、景品単価が「５，０００」円の、固有ＩＤが「Ａ１２３４５」の特殊景品が含まれていることを示している。
【００９５】
買取済景品データ３５ｃは、買取場に持ち込まれた特殊景品の買取処理に係るデータであり、特殊景品の買取日付、買取時刻、遊技客に当該特殊景品を払い出した遊技店の識別名、買取場の識別名、ステータス及び買い取った特殊景品ごとの景品種類、固有ＩＤ、買取価格をレコードの保有項目とするデータである。ステータスはコード化されており、買い取ったことをセンターサーバ６０に未送信を示す「０」と、買い取ったことをセンターサーバ６０に送信済であることを示す「１」と、既に問屋へ出荷済であることを示す「２」とがある。
【００９６】
図９の買取済景品データ３５ｃの例は、買取日付が「２０１３／４／１１」で、買取時刻が「１７：３０」で、遊技店識別名が「遊技店Ａ」の遊技店で遊技客に払い出された特殊景品が、買取場識別名が「買取場Ａ」の買取場で買い取られ、ステータスが買い取ったことをセンターサーバ６０に未送信であることを示す「０」で、買い取った景品に、景品種類が「景品Ａ」で固有ＩＤが「Ａ１２３４５」で買取価格が「４，８５０」円の景品と、景品種類が「景品Ａ」で固有ＩＤが「Ａ１２３４６」で買取価格が「４，８５０」円の景品が含まれていることを示すレコードを有していることを表している。
【００９７】
出荷景品データ３５ｄは、買取場で買い取られた特殊景品を問屋に出荷した特殊景品の、出荷日付、出荷時刻、出荷元の買取場の識別名、出荷先の問屋の識別名、出荷した特殊景品の景品種類、固有ＩＤ及び売却価格をレコードの保有項目とするデータである。図９の出荷景品データ３５ｄの例は、出荷日付が「２０１３／４／１２」で、出荷時刻が「１０：００」で、出荷元の買取場の識別名が「買取場Ａ」で、出荷先の問屋の識別名が「問屋Ａ」で、景品種類が「景品Ａ」で、固有ＩＤが「Ａ１２３４５」の特殊景品を売却価格「４，９００」円で売却したことを示すレコードを有していることを表している。
【００９８】
アラート受付データ３５ｅは、センターサーバ６０から受け付けたアラート報知を蓄積しているデータであって、アラートの報知の受付日付及び時刻と、受け付けたアラートの報知番号と、アラートの内容と、報知メッセージとをレコードの保有項目とするデータである。アラート内容には報知区分と、検出された偽造が疑われる特殊景品の種類と、当該特殊景品の固有ＩＤなどの情報を含む。また、報知区分は、コード化されたデータであって、「０１」は、全特殊景品の買取の制限を示し、「０２」は、アラート内容に含まれる特殊景品の種類及び固有ＩＤに対応する特殊景品の買取の制限を示し、「１１」は、全特殊景品の買取時に注意喚起のメッセージを表示することを示し、「１２」は、アラート内容に含まれる特殊景品の種類及び固有ＩＤに対応する特殊景品の買取時に注意喚起のメッセージを表示することを示す。
【００９９】
図９のアラート受付データ３５ｅの例は、受付日付が「２０１３／４／１」で、受付時刻が「１８：０５」に受け付けたアラートは、報知番号が「０１０２」で、報知区分が「０２」で、景品種類が「景品Ｂ」の特殊景品の買取が制限されていることを示している。
【０１００】
通報データ３５ｆは、偽造が疑われる特殊景品を検知した場合にセンターサーバ６０に偽造検知通報として送信するデータであり、通報する日付及び時刻と、通報元の買取場の識別名と、偽造若しくは偽造が疑われると判定された特殊景品の種類と、特殊景品の固有ＩＤと、通報区分と、対応する報知番号とを有する。また、通報区分は、コード化されたデータであって、センターサーバ６０の受付通報データ６４ｅの通報区分と同じである。また、対応する報知番号とは通報区分が「２１」のアラート報知に対応する特殊景品の検知であった場合に、アラート報知を識別する報知番号が記録される。
【０１０１】
図９の通報データ３５ｆの例は、通報日付が「２０１３／４／１」で、通報時刻が「１７：００」に、通報元の買取場の識別名が「買取場Ｍ」の買取場において、景品種類が「景品Ａ」で、固有ＩＤが「Ａ９８７６５」の特殊景品に関して、通報区分が「０３」であり同一の固有ＩＤが検知されたこと示している。
【０１０２】
次に、図２に示した買取場ＰＣ３０の特殊景品買取処理の処理手順を説明する。図１０は、買取場ＰＣ３０の特殊景品買取処理の処理手順を示すフローチャートである。
【０１０３】
アラート受付データ３５ｅを参照して、登録されているアラートの情報に報知区分が「０１」の全特殊景品の買取不可の制限がかかっているアラートを受け付けているか否かの判定を行い（ステップＳ１０１）、全特殊景品の買取不可の制限がかかっているアラートを受け付けている場合には（ステップＳ１０１；Ｙｅｓ）、ステップＳ１０３に移行する。全特殊景品の買取不可の制限がかかっているアラートを受け付けていない場合には（ステップＳ１０１；Ｎｏ）、買取処理部３６ｃは、ＩＣタグリーダ３３にリード要求をかけて起動する（ステップＳ１０２）。さらに、買取処理部３６ｃは、買取操作用の画面を表示部３２に表示する（ステップＳ１０３）。このように、全特殊景品の買取不可の制限がかかっている場合には、ＩＣタグリーダ３３でよみ取った特殊景品の固有ＩＤを使用した特殊景品の真贋判定は行わず、買取場の店員による判断のみを有効とすることとなる。
【０１０４】
買取操作画面において買取場の店員によって真正でない特殊景品の発見したことを示す操作を受け付けた場合（ステップＳ１０４；Ｙｅｓ）には、真贋判定部３６ｂは、受け付けた操作内容を基にして、偽の特殊景品であると店員が判断したことを示す通報区分が「０４」又は疑わしい特殊景品と店員が判断したことを示す通報区分が「１２」の通報データ３５ｆを生成する（ステップＳ１０５）。また、偽造検知通報部３６ｇは、生成した通報データ３５ｆを偽造検知通報としてセンターサーバ６０に送信して（ステップＳ１０６）、ステップＳ１０４に戻る。
【０１０５】
買取操作用の画面で買い取ろうとしている特殊景品の固有ＩＤを入力部３１の入力によって受け付けたならば（ステップＳ１０４；Ｎｏ、ステップＳ１０７；Ｙｅｓ）、真贋判定部３６ｂは、受け付けた固有ＩＤに基づいて買い取ろうとしている特殊景品の真贋判定処理を行う（ステップＳ１０８）。ステップＳ１０８の真贋判定処理では、受け付けた固有ＩＤに基づいて買い取ろうとしている特殊景品の真贋判定を行うとともに、真正な特殊景品ではないと判定された場合には、それに応じた通報データ３５ｆを生成する。ステップＳ１０８の真贋判定処理の詳細な処理内容及び手順は後述する。
【０１０６】
ステップＳ１０８の真贋判定において真正な特殊景品であると判定した場合（ステップＳ１０９；Ｙｅｓ）には、買取処理部３６ｃは、買取操作用の画面において入力部３１によって入力された固有ＩＤの特殊景品を買取処理中景品データ３５ｂに登録して（ステップＳ１１３）、ステップＳ１０４に戻る。また、ステップＳ１０８の真贋判定において真正な特殊景品ではないと判定した場合（ステップＳ１０９；Ｎｏ）には、真贋判定部３６ｂは、買取操作用の画面で入力された固有ＩＤに入力誤りがないか否かの確認メッセージの表示を行い（ステップＳ１１０）、入力誤りではない旨の操作を受け付けたならば（ステップＳ１１１；Ｎｏ）、ステップＳ１０６に移行する。また、入力誤りである旨の操作を受け付けたならば（ステップＳ１１１；Ｙｅｓ）、真贋判定部３６ｂは、ステップＳ１０８で生成された通報データ３５ｆを消去して（ステップＳ１１２）、ステップＳ１０４に戻る。
【０１０７】
ＩＣタグリーダ３３による買い取ろうとしている特殊景品の固有ＩＤの読み込みが行われたならば（ステップＳ１０７；Ｎｏ、ステップＳ１１４；Ｙｅｓ）、真贋判定部３６ｂは、読み込まれた固有ＩＤに基づいて買い取ろうとしている特殊景品の真贋判定処理を行う（ステップＳ１１５）。ステップＳ１１５の真贋判定処理では、ステップＳ１０８の真贋判定処理と同じであり、読み込まれた固有ＩＤに基づいて買い取ろうとしている特殊景品の真贋判定を行うとともに、真正な特殊景品ではないと判定された場合には、それに応じた通報データ３５ｆを生成する。
【０１０８】
ステップＳ１１５の真贋判定において真正な特殊景品であると判定した場合（ステップＳ１１６；Ｙｅｓ）には、ステップＳ１１３に移行する。また、ステップＳ１１５の真贋判定において真正な特殊景品ではない判定した場合（ステップＳ１１６；Ｎｏ）には、ステップＳ１０６に移行する。
【０１０９】
買取操作用の画面で買取操作の終了を示す操作を受け付けた場合（ステップＳ１１４；Ｎｏ、ステップＳ１１７；Ｙｅｓ）には、買取処理部３６ｃは、買取処理中景品データ３５ｂに基づいて買取済景品データ３５ｃに当該買取処理に関するレコードを追加登録して、買取処理中景品データ３５ｂを消去して（ステップＳ１１８）、処理を終了する。また、買取操作用の画面で買取操作の終了を示す操作を受け付けていない場合（ステップＳ１１７；Ｎｏ）には、ステップＳ１０４に戻る。
【０１１０】
次に、図１０に示した真贋判定処理（ステップＳ１０８、ステップＳ１１５）の詳細な処理手順を説明する。図１１は、図１０に示した真贋判定処理（ステップＳ１０８、ステップＳ１１５）の詳細な処理手順を示すフローチャートである。
【０１１１】
買取操作用の画面における入力部３１による固有ＩＤの入力若しくはＩＣタグリーダ３３による固有ＩＤの読み込みを受け付けたならば、真贋判定部３６ｂは、アラート受付データ３５ｅを参照することによって受け付けた固有ＩＤの特殊景品が買取を制限された特殊景品なのか否かの判定を行う（ステップＳ２０１）。当該判定の結果、買取を制限された特殊景品である場合（ステップＳ２０１；Ｙｅｓ）には、真贋判定部３６ｂは、当該特殊景品がアラート受付データ３５ｅによって買取を制限された特殊景品であることを表示して（ステップＳ２０２）、報知されたアラートに対応する特殊景品を検知したことを示す通報区分が「２１」の通報データ３５ｆを生成して（ステップＳ２０３）、処理を終了する。
【０１１２】
買取を制限された特殊景品ではない場合（ステップＳ２０１；Ｎｏ）には、さらにアラート受付データ３５ｅを参照することによって受け付けた固有ＩＤの特殊景品が買取時注意喚起が指示された特殊景品なのか否かの判定を行い（ステップＳ２０４）、買取時注意喚起が指示された特殊景品である場合（ステップＳ２０４；Ｙｅｓ）には、真贋判定部３６ｂは、当該特殊景品がアラート受付データ３５ｅによって買取時に注意が必要とされる特殊景品であることを示すメッセージと当該特殊景品の真贋の判断を求めるメッセージの表示を行う（ステップＳ２０５）。ステップＳ２０５で表示したメッセージに対して、当該特殊景品が真正な特殊景品と判断した旨の操作を受け付けたならば（ステップＳ２０６；Ｙｅｓ）、ステップＳ２０８に移行する。また、ステップＳ２０５で表示したメッセージに対して、当該特殊景品が真正な特殊景品ではないと判断した旨の操作を受け付けたならば（ステップＳ２０６；Ｎｏ）、報知されたアラートに対応する特殊景品を検知したことを示す通報区分が「２１」の通報データ３５ｆを生成して（ステップＳ２０７）、処理を終了する。
【０１１３】
買取時注意喚起が指示された特殊景品ではない場合（ステップＳ２０４；Ｎｏ）には、真贋判定部３６ｂは、受け付けた固有ＩＤの形式の確認処理を行う（ステップＳ２０８）。ステップＳ２０８の固有ＩＤの形式の確認処理において、固有ＩＤの形式が不正であると判定した場合（ステップＳ２０９；Ｙｅｓ）には、真贋判定部３６ｂは、固有ＩＤが不正であることを示す通報区分が「０１」の通報データ３５ｆを生成して（ステップＳ２１０）、処理を終了する。
【０１１４】
固有ＩＤの形式が正しいと判定した場合（ステップＳ２０９；Ｎｏ）には、真贋判定部３６ｂは、当該固有ＩＤの特殊景品が問屋から遊技店に出荷されていて、まだ買取場では買い取られていない特殊景品であるか否かの判定を行う（ステップＳ２１１）。具体的には、受け付けた固有ＩＤの景品が、問屋出荷データ３５ａに含まれるか否かを確認することによって、判定を行う。受け付けた固有ＩＤの特殊景品が、問屋出荷データ３５ａに含まれている場合には、当該固有ＩＤの特殊景品が問屋から遊技店に出荷されていて、まだ買取場では買い取られていない特殊景品であると判定する。
【０１１５】
ステップＳ２１１において、受け付けた固有ＩＤの特殊景品が、買取場に持ち込まれているにもかかわらず、問屋から遊技店に出荷されていて買取場では買い取られていないという状態ではないという不整合があると判定した場合（ステップＳ２１２；Ｙｅｓ）には、真贋判定部３６ｂは、問屋の出荷履歴と不整合であることを示す通報区分が「０２」の通報データ３５ｆを生成して（ステップＳ２１３）、処理を終了する。
【０１１６】
問屋の出荷履歴との不整合がない場合（ステップＳ２１２；Ｎｏ）には、真贋判定部３６ｂは、受け付けた固有ＩＤと同じ固有ＩＤを有する特殊景品を既に買い取っていないか否かの確認処理を行う（ステップＳ２１４）。具体的には、受け付けた固有ＩＤの特殊景品が買取処理中景品データ３５ｂ若しくは買取済景品データ３５ｃに含まれていないか否かの確認を行う。買取処理中景品データ３５ｂ若しくは買取済景品データ３５ｃに、受け付けた固有ＩＤの特殊景品が含まれている場合（ステップＳ２１５；Ｙｅｓ）には、真贋判定部３６ｂは、同一の固有ＩＤの特殊景品を検知したことを示す通報区分が「０３」の通報データ３５ｆを生成して（ステップＳ２１６）、処理を終了する。
【０１１７】
買取処理中景品データ３５ｂ若しくは買取済景品データ３５ｃに、受け付けた固有ＩＤの特殊景品が含まれていない場合（ステップＳ２１５；Ｎｏ）には、真贋判定部３６ｂは、受け付けた固有ＩＤに対応する特殊景品の問屋から出荷された日からの経過日数を算出する（ステップＳ２１７）。ステップＳ２１７で算出した問屋から出荷された日からの経過日数が所定の日数以上を経過している場合（ステップＳ２１８；Ｙｅｓ）には、真贋判定部３６ｂは、問屋から出荷後所定日数以上の日数を経過していることを示す通報区分が「１１」の通報データ３５ｆを生成して（ステップＳ２１９）、処理を終了する。また、ステップＳ２１７で算出した問屋から出荷された日からの経過日数が所定の日数以上を経過していない場合（ステップＳ２１８；Ｎｏ）には、受け付けた固有ＩＤの特殊景品は真正な特殊景品であると判定して（ステップＳ２２０）、処理を終了する。
【０１１８】
次に、図２に示したセンターサーバ６０が買取場ＰＣ３０から偽造景品の検出の通報を受け付けた場合のアラート報知処理の処理手順を説明する。図１２は、センターサーバ６０の偽造景品の検出の通報を受け付けた場合のアラート報知処理の処理手順を示すフローチャートである。
【０１１９】
買取場ＰＣ３０から、偽造が疑われる特殊景品を検知したことを示す偽造検知通報を受け付けたならば（ステップＳ３０１；Ｙｅｓ）、通報受付処理部６５ｂは、新たに採番した受付番号に関連づけて受け付けた偽造検知通報の内容を受付通報データ６４ｅに登録する（ステップＳ３０２）。また、通報受付処理部６５ｂは、受け付けた偽造検知通報の内容に基づいて当該通報に対応するアラート報知の要否の判定を行い、その判定結果を受付通報データ６４ｅに追加登録したレコードの報知要否判定結果に反映する（ステップＳ３０３）。
【０１２０】
ステップＳ３０３のアラート報知の要否の判定がアラート報知が必要であった場合（ステップＳ３０４；Ｙｅｓ）には、報知処理部６５ｃは、報知するアラートに対応するレコードをアラート報知履歴データ６４ｆに追加して、新たに採番した報知番号、ステップＳ３０２で採番した受付番号と、アラート内容と、アラート内容に応じた報知メッセージと、解除情報とを登録する（ステップＳ３０５）。さらに、報知処理部６５ｃは、受け付けた偽造検知通報に基づいてアラート報知先を特定して、アラート報知履歴データ６４ｆに追加したレコードの報知対象情報に登録する（ステップＳ３０６）。具体的には、受け付けた偽造検知通報に含まれる通報元の買取場識別名と拠点データ６４ｄとから偽造が疑われる特殊景品が検知された地区を特定する。また、受け付けた偽造検知通報に含まれる特殊景品の固有ＩＤと特殊景品流通履歴データ６４ｂから、偽造検知通報に含まれる特殊景品の固有ＩＤの特殊景品が問屋から出荷した遊技店の識別名を特定して、特定された遊技店の識別名と拠点データ６４ｄとから、当該遊技店の属する地区を特定する。こうして特定された偽造が疑われる特殊景品が検知された地区と、偽造検知通報で通知された固有ＩＤの特殊景品が出荷された地区とをアラート報知先に含める。また、前記のようにして特定した地区に対応する問屋をアラート報知先に含める。
【０１２１】
報知処理部６５ｃは、ステップＳ３０５及びステップＳ３０６で追加登録したアラート報知履歴データ６４ｆのレコードに準じて、アラート報知履歴データ６４ｆの報知対象情報の地区に含まれる買取場ＰＣ３０と、アラート報知履歴データ６４ｆの報知対象情報の問屋識別名に対応する問屋ＰＣ１０とに対してアラートの報知を行う（ステップＳ３０７）。ただし、アラート報知履歴データ６４ｆの報知対象情報の地区に含まれる買取場であっても、アラート報知履歴データ６４ｆのアラート内容に登録されている景品種類の特殊景品を扱っていない買取場に対してはアラートを報知しないものとしても良い。
【０１２２】
また、買取場ＰＣ３０から、偽造が疑われる特殊景品を検知したことを示す偽造検知通報を受け付けていない場合（ステップＳ３０１；Ｎｏ）には、処理を終了する。また、買取場ＰＣ３０から、偽造が疑われる特殊景品を検知したことを示す偽造検知通報を受け付けていてもステップＳ３０３でアラート報知が不要と判定した場合（ステップＳ３０４；Ｎｏ）にも、処理を終了する。
【０１２３】
次に、図２に示した買取場ＰＣ３０がセンターサーバ６０からアラート報知若しくはアラート解除通知を受け付けた場合の処理手順を説明する。図１３は、買取場ＰＣ３０がセンターサーバ６０からアラート報知若しくはアラート解除通知を受け付けた場合の処理手順を示すフローチャートである。
【０１２４】
センターサーバ６０から、アラート報知を受け付けた場合（ステップＳ４０１；Ｙｅｓ）には、アラート報知受付部３６ｆは、受け付けた内容をアラート受付データ３５ｅに新たなレコードとして追加登録を行って（ステップＳ４０２）、受け付けた内容に基づいて表示部３２に偽造が疑われる特殊景品が検知された旨のメッセージを表示する（ステップＳ４０３）。
【０１２５】
アラート報知を受け付けていない場合（ステップＳ４０１；Ｎｏ）で、アラート解除通知を受け付けていた場合（ステップＳ４０４；Ｙｅｓ）には、受け付けたアラート解除通知に含まれる報知番号に対応するレコードを、アラート受付データ３５ｅから削除して（ステップＳ４０５）、処理を終了する。また、アラート解除通知も受け付けていない場合（ステップＳ４０４；Ｎｏ）にも、処理を終了する。
【０１２６】
上述してきたように、本実施例では、景品ごとの個体を識別する識別情報を取得して、取得した識別情報に基づいて景品の真贋の判定を行い、景品が真正な景品であると判定されなかった場合に、景品の識別情報を含む真正とは判定できない景品を検出したことを示す情報を通報し、通報された内容に基づいてアラート報知の要否の判定を行って、アラート報知が必要と判定した場合には景品の買取を行う買取場に景品の流通経路内で真正ではない景品が検出されたことを示すアラート情報を報知して、当該報知を受け付けた買取場では同じ種類又は同じ識別情報の景品に対して買取の制限を行ったり注意喚起メッセージの表示を行うよう構成したので、遊技店で遊技媒体と交換可能で、買取場で買い取ってもらうことが可能な景品の流通において、景品の偽造を発見した場合に偽造された景品による被害の拡大を抑制することができる。
【０１２７】
なお、上述の実施例では、買取場ＰＣ３０で偽造又は偽造が疑われる特殊景品の検知を行い、検知された偽造又は偽造の疑われる特殊景品の情報を偽造検知通報としてセンターサーバ６０に送信して、センターサーバ６０が受け付けた通報に基づいて他の拠点への報知の要否の判定を行い、他の拠点への報知が必要と判定した場合に、センターサーバ６０から偽造検知通報に対応するアラート通報を拠点に報知するものとしたが、本発明はこれに限定されるものではない。例えば、買取場ＰＣ３０で偽造又は偽造が疑われる特殊景品の検知を行い、買取場ＰＣ３０で検知した内容に基づいて他の拠点への報知の要否を判定し、他の拠点への報知が必要と判定した場合には、センターサーバ６０へ他の拠点へのアラート報知を行うことを依頼するアラート報知依頼を送信して、アラート報知依頼を受け付けたセンターサーバ６０が受け付けたアラート報知依頼に準じて拠点への報知を行うようにしてもよい。
【０１２８】
また、上述の実施例の景品流通管理システムでは、特殊景品の遊技店への入荷や特殊景品の景品交換による遊技客への払い出しについては管理していなかったが、本発明はこれに限定されるものではない。例えば、遊技店における特殊景品の問屋からの入荷や遊技客への景品交換による払い出しを管理して、その情報をセンターサーバ６０に通知することによって問屋から出荷後、買取場で買い取られる迄の間の特殊景品の状況や、遊技店における特殊景品の売買差益を詳細に管理できるようにしてもよい。
【０１２９】
また、上述の実施例では特殊景品の識別を、ＩＣタグを特殊景品に付けて、該ＩＣタグに特殊景品全体でユニークな固有ＩＤを記憶させ、該固有ＩＤをＩＣタグリーダ１３、３３で読み取ることによって特殊景品の識別を行ったが、本発明はこれに限定されるものではなく、全ての特殊景品に固有のバーコードやフォノグラムを付けて、このバーコードやフォノグラムを読みこむことによって特殊景品を識別してもよい。
【０１３０】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１３１】
以上のように、本発明に係る景品流通管理システム及び景品流通管理方法は、遊技店で遊技媒体と交換可能で、買取場で買い取ってもらうことが可能な景品の流通において、景品の偽造を発見した場合に偽造された景品による被害の拡大を抑制することに適している。
【符号の説明】
【０１３２】
１０    問屋ＰＣ
１１、３１、６１    入力部
１２、３２、６２    表示部
１３、３３    ＩＣタグリーダ
１４、３４、６３    通信部
１５、３５、６４      記憶部
１５ａ    買取場出荷データ
１５ｂ    入荷景品データ
１５ｃ、３５ｄ    出荷景品データ
１６、３６、６５    制御部
１６ａ    買取場出荷データ取得部
１６ｂ、３６ｂ    真贋判定部
１６ｃ    入荷処理部
１６ｄ、３６ｅ    出荷処理部
１６ｅ    報知情報出力処理部
３０    買取場ＰＣ
３５ａ    問屋出荷データ
３５ｂ    買取処理中景品データ
３５ｃ    買取済景品データ
３５ｅ    アラート受付データ
３５ｆ    通報データ
３６ａ    配布データ取得部
３６ｃ    買取処理部
３６ｄ    買取データ送信部
３６ｆ    アラート報知受付部
３６ｇ    偽造検知通報部
４０    入出金ターミナル
６０    センターサーバ
６４ａ    特殊景品状況データ
６４ｂ    特殊景品流通履歴データ
６４ｃ    景品種類データ
６４ｄ    拠点データ
６４ｅ    受付通報データ
６４ｆ    アラート報知履歴データ
６５ａ    特殊景品状況管理部
６５ｂ    通報受付処理部
６５ｃ    報知処理部
６５ｄ    景品流通履歴照会部
【図１】
0006343196.tif 000002
【図２】
0006343196.tif 000003
【図３】
0006343196.tif 000004
【図４】
0006343196.tif 000005
【図５】
0006343196.tif 000006
【図６】
0006343196.tif 000007
【図７】
0006343196.tif 000008
【図８】
0006343196.tif 000009
【図９】
0006343196.tif 000010
【図１０】
0006343196.tif 000011
【図１１】
0006343196.tif 000012
【図１２】
0006343196.tif 000013
【図１３】
0006343196.tif 000014